(57)【要約】【課題】「色むら」と「時間差むら」を同時に解決しつつも、少ないマルチパス数で双方向のマルチパス記録を実現可能なインクジェット記録方法を提供する。【解決手段】記録ヘッド２８０１のノズル列をマルチパス数で分割して形成される複数のグループのうちの一部を、所定の走査方向において非使用（あるいは低い記録許容率）としつつ、往路走査と復路走査とで使用するマスクパターンを適切に変更する。これにより、インク付与順序（記録順序）や複数の記録走査での記録タイミングを、隣接する記録領域間ひいては記録領域全域で統一する。【選択図】図１１
2008155474.tif 000002
【特許請求の範囲】
【請求項１】
複数種類のインクに対応した複数のノズル列を備えた記録ヘッドを用いて記録媒体に記録を行うインクジェット記録方法であって、
前記記録ヘッドを往復走査する工程と、
前記往復走査の往路走査と復路走査の間に、前記ノズル列の幅より小なる量だけ前記記録媒体を搬送する工程と、
前記往路走査と復路走査を含む複数回の走査によって前記小なる量の幅を有する前記記録媒体上の単位領域に記録を行うにあたり、前記往路走査と前記復路走査で前記複数種類のインクの記録順を異ならせて記録を行う工程とを有し、
前記搬送の方向に隣接する複数の単位領域の間で前記複数種類のインクの記録順が同じになるように、前記複数回の走査間で使用するノズルを変更することを特徴とするインクジェット記録方法。
【請求項２】
記録媒体上の複数の単位領域に対して、往路走査及び復路走査を含む複数回の記録ヘッドの走査により前記記録ヘッドの走査方向に配列した第１、第２インクに対応するそれぞれのノズル列から第１、第２インクを吐出して記録を行うインクジェット記録方法であって、
前記往路走査により前記単位領域に対して前記それぞれのノズル列から第１インク、第２インクの順にインクを吐出し記録を行う工程と、
前記復路走査により前記単位領域に対して前記それぞれのノズル列から第２インク、第１インクの順にインクを吐出し記録を行う工程と、
前記往路走査および復路走査の間で前記記録媒体を前記単位領域の幅だけ搬送する工程とを有し、
前記複数の単位領域のいずれにおいても前記第１、第２インクの記録順が同じとなるように、前記複数回の走査で使用するノズルを前記単位領域によって変更することを特徴とするインクジェット記録方法。
【請求項３】
前記単位領域に対して前記複数回の走査により記録を行うための前記それぞれのノズル列の単位領域に対応する部分の記録許容率が、前記複数回の走査で等しいことを特徴とする請求項２に記載のインクジェット記録方法。
【請求項４】
ノズル列を備えた記録ヘッドを用いて記録媒体に記録を行うインクジェット記録方法であって、
前記ノズル列の幅よりも小なる量の幅を有する前記記録媒体上の単位領域のうち第１単位領域に対して往路走査及び復路走査を含む複数回の前記記録ヘッドの走査により記録を行う工程と、
前記第１単位領域に隣接する第２単位領域に対して前記往路走査及び復路走査を含む複数回の前記記録ヘッドの走査により記録を行う工程と、
前記往路走査と復路走査の間に前記記録媒体を前記ノズル列の幅よりも小なる量の幅だけ搬送する工程とを有し、
前記第１、第２単位領域に対する記録を伴う往路走査及び記録を伴う復路走査の順序と記録を伴う走査の回数とが等しいことを特徴とするインクジェット記録方法。
【請求項５】
複数のノズルが配列したノズル列を備えた記録ヘッドを用いて記録媒体に記録を行うインクジェット記録方法であって、
連続した位置のノズルをブロックとして前記ノズル列をＭ個のブロックに分割し、前記ブロックの幅に対応する記録媒体上の単位領域のうち第１単位領域を往路走査及び復路走査を含むＭ回の走査によって記録する工程と、
前記第１単位領域に隣接する第２単位領域を往路走査及び復路走査を含むＭ回の走査によって記録する工程と、
前記往路走査と復路走査の間に前記ブロックの幅だけ前記記録媒体を搬送する工程とを有し、
前記第１単位領域は前記Ｍ回の走査のうちＭ−１回の走査で前記ノズル列の一方の端からＭ−１個のブロックに含まれるノズルにより記録され、前記第２単位領域は前記Ｍ回の走査のうちＭ−１回の走査で前記ノズル列の他の一方の端からＭ−１個のブロックに含まれるノズルにより記録されることを特徴とするインクジェット記録方法。
【請求項６】
記録ヘッドに備えられたノズル列の幅よりも小なる量の幅を有する記録媒体上の単位領域に対する往路走査及び復路走査を含む複数回の前記記録ヘッドの走査と、前記往路走査と復路走査の間における前記ノズル列の幅よりも小なる量の前記記録媒体の搬送とにより前記記録媒体に記録を行うインクジェット記録装置であって、
前記単位領域のうち第１単位領域に対する記録を伴う往路走査及び記録を伴う復路走査の順序と記録を伴う走査の回数とが前記第１単位領域に隣接する第２単位領域と等しいことを特徴とするインクジェット記録装置。
【発明の詳細な説明】
【技術分野】
【０００１】
本発明は、色材を含有するインクを用いて画像の記録を行うインクジェット記録方法及び記録装置に関する。特に、インクの吐出口（ノズル）を集積配列してなるインクジェット記録ヘッドを、記録媒体に対し往復走査しながら段階的に画像を完成させるマルチパス記録方法に関する。
【背景技術】
【０００２】
複写装置や、コンピュータ等の情報処理機器、さらには通信機器や通信環境の普及に伴い、それらの機器の記録装置の一つとして、インクジェット方式を採用したデジタル画像出力装置が急速に普及している。中でも、最も一般的なシリアル型のインクジェット記録装置では、インクを吐出するノズルを複数配列させたノズル列が、インク色毎に複数列備えられた記録ヘッドを用いている。そして、記録ヘッドを記録媒体に対し走査させながらインクを吐出する記録主走査と、当該記録主走査とは交差する方向に記録媒体を所定量搬送する副走査とを間欠的に繰り返すことにより、順次画像を形成していく。
【０００３】
インクジェット記録装置で出力されるカラー画像においては、発色性、階調性、一様性などが重視される。中でも、一様性に関しては、記録ヘッド製造時に生じる僅かなノズル単位のばらつきに影響を受けることが知られている。ノズル単位の製造ばらつきは、記録時における吐出量や吐出方向のばらつきとなり、結果として画像上のすじや濃度むらの原因となる。従来では、このようなノズル単位のばらつきに起因する画像劣化を解消するために、マルチパス記録方法が一般に採用されていた。
【０００４】
マルチパス記録では、記録ヘッドが１回の記録走査で記録可能な画像領域を、複数回の記録走査と副走査とを交互に繰り返すことにより、段階的に画像を完成させて行く（例えば、特許文献１、特許文献２および特許文献３参照。）。そのため、１つのノズルによって記録可能な主走査方向に延びる領域は、複数のノズルによって形成される。結果、個々のノズルの吐出量や吐出方向にばらつきが含まれていたとしても、その特性が１箇所に集中することがないので、一様性に優れた画像が実現される。このようなマルチパス記録方法の効果は、マルチパス数、すなわち同一の画像領域を完成させるために要する記録走査数が多いほど高いと言える。
【０００５】
【特許文献１】米国特許第４７４８４５３号明細書
【特許文献２】特開昭５８−１９４５４１号公報
【特許文献３】特開昭５５−１１３５７３号公報
【特許文献４】特開２００１−８００９３号公報
【特許文献５】米国特許第６０８６１８１号公報
【発明の開示】
【発明が解決しようとする課題】
【０００６】
しかしながら、マルチパス記録では同一の画像領域に対し複数回の記録走査を実行しなければならないので、より多くの記録時間が費やされるという欠点も有している。すなわち、マルチパス数を多くするほど画像品位は上がるがスループットは低下すると言うように、画像品位とスループットはトレードオフの関係にある。
【０００７】
同じマルチパス数であっても、少しでもスループットを向上させるために、往路走査と復路走査の双方で記録を行う双方向のマルチパス記録方法も実施されてはいる。但しこの場合、「色むら」や「時間差むら」という新たな画像弊害が提起される。以下に、「色むら」および「時間差むら」について具体的に説明する。
【０００８】
図１５は、シリアル型のインクジェット記録装置において適用可能なインクジェット記録ヘッドのノズル配列状態例を説明するための模式図である。記録ヘッド２８０１には、インクを吐出する吐出口２８０３が図のように複数配置されたノズル列２８０２が、４色分だけ主走査方向に並列されている。記録を行う際、記録ヘッド２８０１は主走査方向に移動しながら、個々の吐出口２８０３からインクを吐出する。この場合、往路走査では、記録媒体に対し、シアン→マゼンタ→イエロー→ブラックの順にインクが付与される。復路走査では、ブラック→イエロー→マゼンタ→シアンの順、すなわち往路走査とは逆の順にインクが付与される。
【０００９】
図６は、色むらを説明するために、上述した記録ヘッド２８０１を用いて、３パスのマルチパス記録を双方向で行った際の記録ヘッドの記録状態を示した模式図である。また、図７は、同様の記録を行った際の記録媒体における記録状態を示した模式図である。両図共に、固定された記録媒体に対し、記録ヘッド２８０１の副走査方向における相対的な位置が示されている。
【００１０】
図６を参照するに、３パスのマルチパス記録の場合、記録ヘッド２８０１のノズル領域は３つの部分（ブロック）に分割して考えることが出来る。往路走査で行われる第１記録走査では、記録ヘッドの先方１／３の領域によってシアン→マゼンタ→イエロー→ブラックの順に記録媒体にインクが付与される。１／３領域分の搬送動作の後、続いて行われる復路走査の第２記録走査では、記録ヘッドの先方２／３の領域によってブラック→イエロー→マゼンタ→シアンの順に記録媒体にインクが付与される。更に１／３領域分の搬送動作の後、再び往路走査で行われる第３記録走査では、記録ヘッドの全領域によってシアン→マゼンタ→イエロー→ブラックの順に記録媒体にインクが付与される。このように、往路または復路で行われる記録主走査と、１／３領域分の搬送動作とを交互に繰り返すことにより、記録媒体の画像領域には順次画像が形成されて行く。
【００１１】
ここで、図７を参照し、記録媒体上の記録領域Ａに注目すると、この領域は往路走査→復路走査→往路走査の順に画像が形成されている。また記録領域Ａに隣接する記録領域Ｂに注目すると、この領域は復路走査→往路走査→復路走査の順に画像が形成されている。以後、同様に、記録領域Ａと同じ順番で記録される領域と、記録領域Ｂと同じ順番で記録される領域とが、副走査方向に交互に配列する。
【００１２】
一般に、インクジェット記録方式においては、より先行して付与されたインクの色が記録媒体の表面で優先色（発色性が勝る）になりやすいことが知られている。例えば、シアンとイエローを５０％ずつ記録して一様なグリーン画像を記録する場合、記録領域Ａのように最初に往路走査が行われる領域では、最も先行して記録されるシアンが優先色となりやすい。一方、記録領域Ｂのように最初に復路走査が行われる領域では、最も先行して記録されるイエローが優先色となりやすい。結果、出力された画像においては、シアンが優先色となる青みがかったグリーン領域（記録領域Ａ）と、イエローが優先色となる黄色がかったグリーン領域（記録領域Ｂ）が、副走査方向に交互に配置し、「色むら」という画像弊害を招致してしまうのである。
【００１３】
次に「時間差むら」について説明する。図８は、「時間差むら」を説明するために、上述した記録ヘッド２８０１を用いて２パスのマルチパス記録を双方向で行った際の記録状態を示した模式図である。ここでは、ブラックの一様な画像を記録する場合を例に説明する。
【００１４】
２パス双方向のマルチパス記録の場合、記録ヘッド２８０１のノズル領域は２つのブロック（部分）に分割して考えることが出来る。往路走査で行われる第１記録走査では、記録ヘッドの先方１／２の領域によってブラックインクが付与される。その後、記録した１／２領域分の搬送動作の後、復路走査の第２記録走査では、記録ヘッドの全領域によって記録媒体にブラックインクが付与される。更に１／２領域分の搬送動作の後の第３記録走査では、再び往路走査で記録ヘッドの全領域によってブラックインクが付与される。このように、往路または復路で行われるブラックインクの記録主走査と、１／２領域分の搬送動作とを交互に繰り返すことにより、記録媒体の画像領域には順次ブラック画像が形成されて行く。
【００１５】
ここで、記録媒体上の記録領域Ａの左側に注目すると、この領域は往路走査が行われてから記録ヘッドの一往復分の走査の後に、すなわち残りの往路走査、反転動作および復路走査が行われる最後に、復路走査によるインクの付与が行われている。すなわち、当該領域に対する１回目の記録走査と２回目の記録走査との間に存在する時間は比較的長い。これに対し、記録領域Ｂの左側に注目すると、この領域は復路走査が行われてから、記録ヘッドの反転後すぐに往路走査によるインクの付与が行われている。すなわち、当該領域に対する１回目の記録走査と２回目の記録走査との間の時間は比較的短い。このように、記録媒体の左側領域においては、記録領域Ａのように比較的長い時間をおいて２回の記録主走査が行われる領域と、記録領域Ｂのように比較的短い時間内で２回の記録主走査が行われる領域とが、副走査方向に交互に配列する。一方、記録媒体の右側領域においては、記録領域Ａに対する２回の記録走査は比較的短い時間内に行われ、記録領域Ｂに対しては比較的長い時間が要される。すなわち、左側の領域と逆転した条件の領域が、やはり副走査方向に交互に配列する。
【００１６】
図１４（ａ）〜（ｃ）は、このような２回の記録走査の時間差が画像に及ぼす影響を説明するための模式図である。図１４（ａ）は、白紙の記録媒体に１つのシアンドットを記録した場合の記録媒体における上面図および断面図である。また、同図（ｂ）は、マゼンタドットを記録した上に、比較的短時間のうちにシアンドットを記録した状態を示している。更に、同図（ｃ）はマゼンタドットを記録した上に、比較的長時間経過した後にシアンドットを記録した状態を示している。一般に、記録媒体に対し新たに記録されるドットの浸透具合は、その領域の濡れ具合に影響を受ける。すなわち、マゼンタドットが記録されて比較的直ぐにシアンドットが記録される図１４（ｂ）の状態では、マゼンタドットによって記録媒体が濡れている状態であるので、シアンインクも深さ方向に浸透し、表面に残り難く、その発色性も低い。これに対し、マゼンタドットが記録されて長時間経過した後にシアンドットが記録される同図（ｃ）の状態では、マゼンタドットがある程度定着し記録媒体が乾いた状態であるので、シアンインクは白紙に記録した場合と同程度に表面に残り、その発色性も高い。
【００１７】
上記では、シアンドットとマゼンタドットを例に説明してきたが、図８で説明したブラック単色の画像を２パスのマルチパスで記録する場合にも同様のことが言える。つまり、比較的短時間のうちに２回の記録走査が行われる領域では画像濃度が低く、比較的長い時間をかけて２回の記録走査が行われる領域では画像濃度が高い。結果、図８の場合には、ブラック濃度が高い領域（記録領域Ａの左側）と、ブラック濃度が低い領域（記録領域Ｂの左側）が、副走査方向に交互に配置し、「時間差むら」という画像弊害を招致するのである。
【００１８】
このような「時間差むら」は、マルチパス数を多く設定することによってある程度緩和することは出来る。しかし、完全に取り除くことは出来ない。
【００１９】
図９および図１０は、図８と同様の画像を、４パスのマルチパス記録で行った際の記録状態を示した模式図である。図９を参照するに、４パス双方向のマルチパス記録の場合、記録ヘッド２８０１のノズル領域は４つのブロック（部分）に分割して考えることが出来る。往路走査で行われる第１記録走査では、記録ヘッドの先方１／４の領域によってブラックインクが付与される。その後、記録した１／４領域分の搬送動作の後、復路走査の第２記録走査では、記録ヘッドの先方１／２領域によって記録媒体にブラックインクが付与される。更に１／４領域分の搬送動作の後の第３記録走査では、再び往路走査で記録ヘッドの３／４領域によってブラックインクが付与される。更に１／４領域分の搬送動作の後の第４記録走査では、再び復路走査で記録ヘッドの全領域によってブラックインクが付与される。このように、往路または復路で行われるブラックインクの記録主走査と、１／４領域分の搬送動作とを交互に繰り返すことにより、記録媒体の画像領域には順次ブラック画像が形成されて行く。
【００２０】
４回の記録走査で画像が完成される４パスのマルチパス記録においては、個々の記録走査の間に介在する時間も、長かったり、短かったりと一律では無い。よって、例えば第１記録走査と第２記録走査の間が長い記録領域Ａの方が、記録領域Ｂよりも必ずしも濃度が高いとは言えない。しかしながら、一般に、４パス程度のマルチパス記録においては、最初の２回の記録走査で記録媒体の略全域がドットで被覆されてしまうことが多く、最初の２回の記録走査のタイミングで濃度や色相が影響を受けるのも確かである。よって、画像の両端部においては、濃度や色相の異なる２種類の領域が交互に配置する結果となり、これが目立つ場合には「時間差むら」として認識される。このような「時間差むら」は、記録領域の両端部で検出され、記録媒体の幅（すなわち、記録ヘッドの走査領域）が大きいほど、その程度は大きくなる。
【００２１】
以上説明した「色むら」や「時間差むら」も、８パスや１６パスのようにマルチパス数を更に大きく設定することによって、視覚的に目立たない程度に抑制することは可能である。しかし、スループットを向上させるために双方向記録を採用する状況において、マルチパス数の増加は好ましいことではない。例えば特許文献４や特許文献５には、上記「色むら」を抑制するための工夫された記録方法が開示されているが、これらを採用しても「時間差むら」を同時に解決することは出来なかった。
【００２２】
本発明は、上記課題を解決するためになされたものであり、その目的とするところは、「色むら」と「時間差むら」を同時に解決しつつも、少ないマルチパス数で双方向のマルチパス記録を実現可能なインクジェット記録方法を提供することである。
【課題を解決するための手段】
【００２３】
そのために本発明においては、複数種類のインクに対応した複数のノズル列を備えた記録ヘッドを用いて記録媒体に記録を行うインクジェット記録方法であって、前記記録ヘッドを往復走査する工程と、前記往復走査の往路走査と復路走査の間に、前記ノズル列の幅より小なる量だけ前記記録媒体を搬送する工程と、前記往路走査と復路走査を含む複数回の走査によって前記小なる量の幅を有する前記記録媒体上の単位領域に記録を行うにあたり、前記往路走査と前記復路走査で前記複数種類のインクの記録順を異ならせて記録を行う工程とを有し、前記搬送の方向に隣接する複数の単位領域の間で前記複数種類のインクの記録順が同じになるように、前記複数回の走査間で使用するノズルを変更することを特徴とする。
【００２４】
また、記録媒体上の複数の単位領域に対して、往路走査及び復路走査を含む複数回の記録ヘッドの走査により前記記録ヘッドの走査方向に配列した第１、第２インクに対応するそれぞれのノズル列から第１、第２インクを吐出して記録を行うインクジェット記録方法であって、前記往路走査により前記単位領域に対して前記それぞれのノズル列から第１インク、第２インクの順にインクを吐出し記録を行う工程と、前記復路走査により前記単位領域に対して前記それぞれのノズル列から第２インク、第１インクの順にインクを吐出し記録を行う工程と、前記往路走査および復路走査の間で前記記録媒体を前記単位領域の幅だけ搬送する工程とを有し、前記複数の単位領域のいずれにおいても前記第１、第２インクの記録順が同じとなるように、前記複数回の走査で使用するノズルを前記単位領域によって変更することを特徴とする。
【００２５】
また、ノズル列を備えた記録ヘッドを用いて記録媒体に記録を行うインクジェット記録方法であって、前記ノズル列の幅よりも小なる量の幅を有する前記記録媒体上の単位領域のうち第１単位領域に対して往路走査及び復路走査を含む複数回の前記記録ヘッドの走査により記録を行う工程と、前記第１単位領域に隣接する第２単位領域に対して前記往路走査及び復路走査を含む複数回の前記記録ヘッドの走査により記録を行う工程と、前記往路走査と復路走査の間に前記記録媒体を前記ノズル列の幅よりも小なる量の幅だけ搬送する工程とを有し、前記第１、第２単位領域に対する記録を伴う往路走査及び記録を伴う復路走査の順序と記録を伴う走査の回数とが等しいことを特徴とする。
【００２６】
更に、複数のノズルが配列したノズル列を備えた記録ヘッドを用いて記録媒体に記録を行うインクジェット記録方法であって、連続した位置のノズルをブロックとして前記ノズル列をＭ個のブロックに分割し、前記ブロックの幅に対応する記録媒体上の単位領域のうち第１単位領域を往路走査及び復路走査を含むＭ回の走査によって記録する工程と、前記第１単位領域に隣接する第２単位領域を往路走査及び復路走査を含むＭ回の走査によって記録する工程と、前記往路走査と復路走査の間に前記ブロックの幅だけ前記記録媒体を搬送する工程とを有し、前記第１単位領域は前記Ｍ回の走査のうちＭ−１回の走査で前記ノズル列の一方の端からＭ−１個のブロックに含まれるノズルにより記録され、前記第２単位領域は前記Ｍ回の走査のうちＭ−１回の走査で前記ノズル列の他の一方の端からＭ−１個のブロックに含まれるノズルにより記録されることを特徴とする。
【００２７】
更にまた、記録ヘッドに備えられたノズル列の幅よりも小なる量の幅を有する記録媒体上の単位領域に対する往路走査及び復路走査を含む複数回の前記記録ヘッドの走査と、前記往路走査と復路走査の間における前記ノズル列の幅よりも小なる量の前記記録媒体の搬送とにより前記記録媒体に記録を行うインクジェット記録装置であって、前記単位領域のうち第１単位領域に対する記録を伴う往路走査及び記録を伴う復路走査の順序と記録を伴う走査の回数とが前記第１単位領域に隣接する第２単位領域と等しいことを特徴とする。
【発明の効果】
【００２８】
本発明によれば、双方向のマルチパス記録において、往路走査と復路走査とで使用するマスクパターンを適切に変更することによって、インク付与順序や複数の記録走査での記録タイミングを、隣接する記録領域間ひいては記録領域全域で統一することが出来る。よって、少ないマルチパス数であっても「色むら」と「時間差むら」を同時に解決した一様性に優れた画像を出力することが可能となる。
【発明を実施するための最良の形態】
【００２９】
以下、本発明の実施形態を、図面を参照しながら詳細に説明する。
【００３０】
図１は、本発明の一実施形態に係るホスト機器として機能するパーソナルコンピュータ（以下、単にＰＣとも言う）の主にハードウェアおよびソフトウェアの構成を示すブロック図である。
【００３１】
図１において、ホストコンピュータであるＰＣ１００は、オペレーティングシステム（ＯＳ）１０２によって、アプリケーションソフトウェア１０１、プリンタドライバ１０３、モニタドライバ１０５の各ソフトウェアを動作させる。
【００３２】
アプリケーション１０１は、ワープロ、表計算、インターネットブラウザなどに関する処理を行って、記録装置１０４で記録する画像データを生成する。モニタドライバ１０５は、モニタ１０６に表示する画像データを作成するなどの処理を実行する。
【００３３】
プリンタドライバ１０３は、アプリケーション１０１からＯＳ１０２へ発信される各種描画命令群（イメージ描画命令、テキスト描画命令グラフィクス描画命令など）を画像処理し、最終的に記録装置１０４で処理可能な２値の画像データに展開する。詳しい処理については、図２を用いて後述する。
【００３４】
ホストコンピュータ１００は、内蔵したソフトウェアを動作させるための各種ハードウェアとして、ＣＰＵ１０８、ハードディスク（ＨＤ）１０７、ＲＡＭ１０９、ＲＯＭ１１０などを備える。ＣＰＵ１０８は、ハードディスク１０７やＲＯＭ１１０に格納されているソフトウェアプログラムに従ってその処理を実行し、ＲＡＭ１０９はその処理実行の際にワークエリアとして用いられる。
【００３５】
本実施形態のＰＣ１００は、記録装置１０４によるマルチパス記録のために、記録モードに応じたマスクパターンを製造可能なデータ処理装置として機能する形態であってもよい。この場合、製造されたマスクパターンデータは、記録装置１０４に転送され、記録装置１０４内のメモリに格納される。
【００３６】
本実施形態の記録装置１０４は、インクを吐出する記録ヘッドを記録媒体に対して走査しながら記録を行うシリアル型のインクジェット記録装置である。記録ヘッドは、既に図１５で説明した構成のものであり、複数種類、ここではシアン（Ｃ）、マゼンタ（Ｍ）、イエロー（Ｙ）およびブラック（Ｋ）の４色のインクに対応し主走査方向に並列した４列のノズル列２８０２を具備している。記録ヘッド２８０１は、更にキャリッジに装着され、このキャリッジが主走査方向に走査する。図１５を参照するに、個々のノズル列２８０２において、複数の吐出口２８０３は副走査方向に１２００ｄｐｉ（ｄｏｔ／ｉｎｃｈ；参考値）の密度で配列しており、それぞれの吐出口からは、約３．０ピコリットルのインクが吐出される。
【００３７】
図２は、図１に示した構成において、記録装置１０４で記録を行う際の、ＰＣ１００および記録装置１０４における主なデータ処理過程を説明するためのブロック図である。ＰＣ１００のアプリケーション１０１を介して、ユーザは記録装置１０４で記録する画像データを作成することができる。そして、記録を行うときはアプリケーション１０１で作成された画像データがプリンタドライバ１０３に渡される。
【００３８】
プリンタドライバ１０３は、その処理として、前段処理Ｊ０００２、後段処理Ｊ０００３、γ補正Ｊ０００４、２値化処理Ｊ０００５、および印刷データ作成Ｊ０００６をそれぞれ実行する。
【００３９】
前段処理Ｊ０００２では、アプリケーションによる画面を表示する表示器が持つ色域を記録装置１０４の色域に変換する色域変換を行う。具体的には、レッド（Ｒ）、グリーン（Ｇ）、ブルー（Ｂ）夫々が８ビットで表現された画像データＲ、Ｇ、Ｂを３次元ＬＵＴにより、記録装置の色域内の８ビットデータＲ、Ｇ、Ｂに変換する。
【００４０】
続く後段処理Ｊ０００３では、変換された色域を再現する色をインク色に分解する。具体的には、前段処理Ｊ０００２にて得られた８ビットデータＲ、Ｇ、Ｂが表す色を再現するためのインクの組合せに対応した８ビットデータＣ、Ｍ、Ｙ、Ｋを求める処理を行う。
【００４１】
γ補正Ｊ０００４では、色分解で得られたＣＭＹＫのデータ夫々についてγ補正を行う。具体的には、色分解で得られた８ビットデータＣＭＹＫ夫々が記録装置１０４の階調特性に線形的に対応づけられるように、信号値の一次変換を行う。
【００４２】
２値化処理Ｊ０００５では、γ補正がなされた８ビットデータＣ、Ｍ、Ｙ、Ｋそれぞれを１ビットデータＣ、Ｍ、Ｙ、Ｋに変換する量子化処理（２値化処理）を行う。変換後の１ビット画像データは、ドットの記録を示すドット記録データ（１）と、ドットの非記録を示すドット非記録データ（０）から構成される２値データである。
【００４３】
プリンタドライバ１０３における最終処理となる印刷データ作成処理Ｊ０００６では、２値化された１ビット画像データに印刷制御データなどを付して印刷データを作成する。印刷制御データには、「記録媒体情報」、「記録品位情報」、および「給紙方法」のような制御情報が含まれる。以上のようにして生成された印刷データは、記録装置１０４へ供給される。
【００４４】
記録装置１０４は、入力されてきた印刷データに含まれる２値の画像データに対しマスクデータ変換処理Ｊ０００８を行う。マスクデータは、記録ヘッド２８０１が１回の記録走査で記録可能な全画素データに対する記録の許容および非許容が画素単位で定められた２値データであり、記録装置内のメモリに予め格納されている。マスクデータ変換処理Ｊ０００８では、このようなマスクパターンを読み出し、入力されてきた２値の画像データとの間でＡＮＤ処理をかける。これにより、マルチパス記録の各記録走査で実際に記録（吐出動作）が実行される２値の記録データが決定される。
【００４５】
マスクデータ変換処理Ｊ０００８によって記録が決定された２値データは、ヘッド駆動回路Ｊ０００９へ転送され、次の記録走査でインクが吐出されるタイミングが設定される。その後、設定されたタイミングに従って、記録ヘッド２０８１が吐出動作を実行する。
【００４６】
図３は、本実施形態で適用するインクジェット記録装置１０４の内部構成を説明するための斜視図である。キャリッジＭ４０００は、記録ヘッドおよびこれにシアン（Ｃ）、マゼンタ（Ｍ）、イエロー（Ｙ）、ブラック（Ｋ）それぞれのインクを供給するインクタンクＨ１９００を搭載した状態で、Ｘ方向（主走査方向）の往路方向あるいは復路方向に移動する。この移動の際に、記録ヘッドの各ノズルは２値の記録データに基づき所定のタイミングでインクを吐出し、往路方向あるいは復路方向の記録主走査が実行される。記録ヘッドの１回の主走査が終了すると、記録媒体は、搬送ローラＭ３６００の回転によって、図のＹ方向（副走査方向）にノズル列の幅よりも小なる所定量だけ搬送される。その後、再び復路走査あるいは往路走査の記録主走査が実行される。以上のような往路方向または復路方向の記録主走査と搬送動作とを交互に繰り返すことによって、記録媒体に対し、双方向のマルチパス記録が実行される。
【００４７】
本発明は、マルチパス記録における複数回の各走査で用いるマスクパターンおよびそれを利用したマルチパス記録方法に特徴を有するものである。以下では、本発明の特徴的な構成を説明する前に、一般的なマルチパス記録における、マスクパターンの役割とこれを用いた記録状態について説明する。
【００４８】
図４は、２パスのマルチパス記録における記録ヘッドとマスクパターンおよび記録媒体の関係を模式的に説明するための図である。ここでは、簡単のため、５１２個のノズルを有するノズル列を、シアン、マゼンタおよびイエローの３色分用いて画像を記録する場合で説明する。
【００４９】
２パスのマルチパス記録の場合、各色のノズル列は連続した位置にある２５６個のノズルを有する第１グループおよび第２グループの２つのグループに分割される。各グループには副走査方向に２５６画素、主走査方向に所定の領域（ここでは２５６画素）を有するマスクパターンが宛がわれ、同色の２つのグループに宛がわれる２種類のマスクパターン（例えばＹ１とＹ２）は、互いに補完の関係を保っている。
【００５０】
図５は、互いに補完の関係にある２パス用のマスクパターンの仕組みをより簡潔に説明するための模式図である。ここでは、簡単のため、８個のノズルを有する記録ヘッドＰ０００１を４ノズルずつの第１グループと第２グループに分け、それぞれに対し４画素×４画素の領域を有するマスクパターＰＡおよびＰＢを宛がっている。図では、黒く示した領域が記録を許容する画素、白く示した領域が記録を許容しない画素をそれぞれ示している。マスクパターンＰＡとマスクパターンＰＢとは互いに反転した関係であり、マスクパターンＰＡで記録が許容される画素はマスクパターンＰＢでは記録が許容されず、マスクパターンＰＡで記録が許容されない画素は、マスクパターンＰＢでは記録が許容される。すなわち、これら２種類のマスクパターンを取り替えながら２回の記録走査で画像を記録することにより、記録媒体上の４画素×４画素に含まれる全ての画素が記録される。
【００５１】
再度図４を参照するに、マスクパターンＹ１とＹ２の関係、マスクパターンＭ１とＭ２の関係、マスクパターンＣ１とＣ２の関係も、マスクパターンの大きさは異なるが、図５のマスクパターンＰＡとＰＢの関係と同様、互いに補完の関係にある。すなわち、例えば、第１の記録走査でマスクパターンＹ１を用いて記録された記録媒体上の領域に対し、第２の記録走査でマスクパターンＹ２を用いて記録を行うことにより、当該領域の全ての記録データが記録される。実際の記録動作では、各記録走査の間に２５６画素分の記録媒体の搬送動作（副走査）を行うことにより、記録媒体上の２５６画素幅の領域毎に段階的に画像が完成されて行く。
【００５２】
以上では、最も簡単な例として２パスのマルチパス記録で説明を行ったが、ノズル列の分割数（グループ数）、マスクパターンにおける記録データの間引き率、および記録媒体の搬送量を調整することにより、３パス以上のマルチパス記録を実現することも出来る。但し、背景技術の項でも説明したように、以上説明したマルチパス記録を往復走査で行った場合には、記録媒体に対するインクの付与順序の逆転や付与タイミングのばらつきに起因して、「色むら」や「時間差むら」という新たな画像弊害が誘発される。
【００５３】
本発明が課題としているのは、「色むら」および「時間差むら」を、なるべく少ないマルチパス数の双方向記録で抑制することである。そのために、本発明者らが考案した特徴的なマスクパターンおよびマルチパス記録方法を以下に具体的に説明する。
【実施例１】
【００５４】
図１１は、本実施例における、３パス双方向のマルチパス記録を行った際の記録ヘッド２８０１の記録状態を示した模式図である。３パスのマルチパス記録の場合、記録ヘッド２８０１のノズル領域はグループ１〜グループ３の３つのブロック（部分）に分割して考えることが出来る。
【００５５】
本実施例では、このような３つのグループの往路走査および復路走査のために、Ｐ１〜Ｐ４の４種類のマスクパターンを用意する。Ｐ１は往路走査におけるグループ１のためのマスクパターン、Ｐ２は同じく往路走査におけるグループ２のためのマスクパターンである。また、Ｐ３は復路走査におけるグループ２のためのマスクパターン、Ｐ４は同じく復路走査におけるグループ３のためのマスクパターンである。マスクパターンＰ１とマスクパターンＰ３は互いに補完の関係にあり、マスクパターンＰ２とマスクパターンＰ４も互いに補完の関係にある。本実施例において、往路走査におけるグループ３と、復路走査におけるグループ１は記録を行わない。また、各記録走査の間に行われる搬送動作は、背景技術の項で図６を用いて説明した従来の３パスのマルチパス記録と同様、記録ヘッド２８０１の１／３の長さに相当する分だけの搬送量で行われる。
【００５６】
以上のような３パス双方向のマルチパス記録を実行した際の、記録媒体の各領域（単位領域）における記録状態を考える。まず、記録領域（単位領域）Ａに注目すると、当該領域には、まず第１の記録走査によってシアン→マゼンタ→イエロー→ブラックの順に、インクが付与される。このとき、記録領域Ｂに対しても同じ第１の記録走査でシアン→マゼンタ→イエロー→ブラックの順にインクが付与される。記録媒体の搬送動作が行われた後、記録領域Ａおよび記録領域Ｂ共に、第２の記録走査によってブラック→イエロー→マゼンタ→シアンの順にインクが付与される。以上、往復１回ずつの記録走査によって、領域Ａおよび領域Ｂの記録が同時に完了する。
【００５７】
このとき、領域Ａと領域Ｂとでは、インクの付与順序（記録順序）は全く同じ状態となる。すなわち、全ての領域において、シアン→マゼンタ→イエロー→ブラック→ブラック→イエロー→マゼンタ→シアンの順に統一される。よって、インクの付与順序（記録順序）が異なる２つの領域が交互に配置することによって認識される「色むら」は回避される。
【００５８】
また、各領域に対し２回の記録走査が行われる間に経過する時間も、記録媒体の右端部および左端部それぞれの領域で同等である。例えば、画像の左端部に注目すると、第１の記録走査によってインクが付与されてから第２の記録走査によってインクが付与されるまでに経過する時間は、記録領域Ａも記録領域Ｂも、記録ヘッドの略一往復分に相当する比較的長い等しい時間になる。また、右端部においても、第１の記録走査によってインクが付与されてから第２の記録走査によってインクが付与されるまでに経過する時間は、記録領域Ａも記録領域Ｂも、記録ヘッドの反転動作分に相当する比較的短い等しい時間になる。よって、複数の記録走査によるインクの付与タイミングが異なる２つの領域が交互に配置することによって認識される「時間差むら」は回避される。
【実施例２】
【００５９】
図１２は、実施例２における、４パス双方向のマルチパス記録を行った際の記録ヘッド２８０１の記録状態を示した模式図である。４パスのマルチパス記録の場合、記録ヘッド２８０１のノズル列はグループ１〜グループ４の４つのブロック（部分）に分割して考えることが出来る。
【００６０】
実施例２では、このような４つのグループの往路走査および復路走査のために、Ｐ１〜Ｐ６の６種類のマスクパターンを用意する。Ｐ１は往路走査におけるグループ１のためのマスクパターン、Ｐ２は同じく往路走査におけるグループ２のためのマスクパターンである。また、Ｐ３は復路走査におけるグループ２のためのマスクパターン、Ｐ４は同じく復路走査におけるグループ３のためのマスクパターンである。更に、Ｐ５は往路走査におけるグループ３のためのマスクパターン、Ｐ６は同じく往路走査におけるグループ４のためのマスクパターンである。マスクパターンＰ１、マスクパターンＰ３およびマスクパターンＰ５は互いに補完の関係にあり、マスクパターンＰ２、マスクパターンＰ４およびマスクパターンＰ６も互いに補完の関係にある。本実施例において、復路走査におけるグループ１とグループ４は記録を行わない。また、各記録走査の間に行われる搬送動作は、従来の４パスのマルチパス記録と同様、記録ヘッド２８０１の１／４の長さ相当する分の搬送量で行われる。
【００６１】
以上のような４パス双方向のマルチパス記録を実行した際の、記録媒体の各領域（単位領域）における記録状態を考える。まず、記録領域（単位領域）Ａに注目すると、当該領域にはまず第１の記録走査によってシアン→マゼンタ→イエロー→ブラックの順にインクが付与される。このとき、記録領域Ｂに対しても同じ第１の記録走査でシアン→マゼンタ→イエロー→ブラックの順にインクが付与される。記録媒体の搬送動作が行われた後、記録領域Ａおよび記録領域Ｂ共に、第２の記録走査によってブラック→イエロー→マゼンタ→シアンの順にインクが付与される。更に、記録媒体の搬送動作が行われた後、記録領域Ａおよび記録領域Ｂ共に、第３の記録走査によって再びシアン→マゼンタ→イエロー→ブラックの順にインクが付与される。以上、往路走査２回と復路走査１回の記録走査によって、領域Ａおよび領域Ｂの記録が同時に完成する。
【００６２】
このとき、領域Ａと領域Ｂ、更にこれに続く全ての領域で、インクの付与順序（記録順序）は全く同じ状態となる。すなわち、全ての領域において、シアン→マゼンタ→イエロー→ブラック→ブラック→イエロー→マゼンタ→シアン→シアン→マゼンタ→イエロー→ブラックの順に統一される。よって、インクの付与順序（記録順序）が異なる２つの領域が交互に配置することによって認識される「色むら」は回避される。
【００６３】
また、各領域に対しそれぞれの記録走査間で経過する時間も、右端部および左端部それぞれで同等である。例えば、画像の左端部に注目すると、第１の記録走査によってインクが付与されてから第２の記録走査によってインクが付与されるまでに経過する時間は領域Ａと領域Ｂで等しい。また、第２の記録走査によってインクが付与されてから第３の記録走査によってインクが付与されるまでに経過する時間も、記録領域Ａと領域Ｂで等しい。すなわち、領域Ａと領域Ｂ、更にこれに続く全ての領域では、全く同じタイミングでインクが付与される３回の記録主走査によって、画像が完成される。結果、複数の記録走査によるインクの付与タイミングが異なる２つの領域が交互に配置することによって認識される「時間差むら」は回避される。
【実施例３】
【００６４】
図１３は、実施例３における、５パス双方向のマルチパス記録を行った際の記録ヘッド２８０１の記録状態を示した模式図である。５パスのマルチパス記録の場合、記録ヘッド２８０１のノズル列はグループ１〜グループ５の５つのブロック（部分）に分割して考えることが出来る。
【００６５】
実施例３では、このような５つのグループの往路走査および復路走査のために、Ｐ１〜Ｐ８の８種類のマスクパターンを用意する。Ｐ１、Ｐ２、Ｐ５およびＰ６は往路走査におけるグループ１、グループ２、グループ３およびグループ４にそれぞれ宛がわれるマスクパターンである。また、Ｐ３、Ｐ４、Ｐ７およびＰ８は、復路走査におけるグループ２、グループ３、グループ４およびグループ５のそれぞれに宛がわれるマスクパターンである。マスクパターンＰ１、マスクパターンＰ３、マスクパターンＰ５およびマスクパターンＰ７は互いに補完の関係にあり、マスクパターンＰ２、マスクパターンＰ４、マスクパターンＰ６およびマスクパターンＰ８も互いに補完の関係にある。本実施例において、往路走査におけるグループ５と復路走査におけるグループ１は記録を行わない。また、各記録走査の間に行われる搬送動作は、従来の５パスのマルチパス記録と同様、記録ヘッド２８０１の１／５の長さ相当する分の搬送量で行われる。
【００６６】
以上のような５パス双方向のマルチパス記録を実行した際の、記録媒体の各領域（単位領域）における記録状態を考える。まず、記録領域（単位領域）Ａに注目すると、当該領域にはまず第１の記録走査によってシアン→マゼンタ→イエロー→ブラックの順にインクが付与される。このとき、記録領域Ｂに対しても同じ第１の記録走査でシアン→マゼンタ→イエロー→ブラックの順にインクが付与される。記録媒体の搬送動作が行われた後、記録領域Ａおよび記録領域Ｂ共に、第２の記録走査によってブラック→イエロー→マゼンタ→シアンの順にインクが付与される。続いて、記録媒体の搬送動作が行われた後、記録領域Ａおよび記録領域Ｂ共に、第３の記録走査によって再びシアン→マゼンタ→イエロー→ブラックの順にインクが付与される。更に、記録媒体の搬送動作が行われた後、記録領域Ａおよび記録領域Ｂ共に、第４の記録走査によってブラック→イエロー→マゼンタ→シアンの順にインクが付与される。以上、往路走査２回と復路走査２回の記録走査によって、領域Ａおよび領域Ｂの記録が同時に完了する。
【００６７】
このとき、領域Ａと領域Ｂとでは、インクの付与順序（記録順序）は全く同じ状態となる。すなわち、全ての領域において、シアン→マゼンタ→イエロー→ブラック→ブラック→イエロー→マゼンタ→シアン→シアン→マゼンタ→イエロー→ブラック→ブラック→イエロー→マゼンタ→シアンの順に統一される。よって、インクの付与順序（記録順序）が異なる２つの領域が交互に配置することによって認識される「色むら」は回避される。
【００６８】
また、各領域に対しそれぞれの記録走査間で経過する時間も、右端部および左端部それぞれで同等である。例えば、画像の左端部に注目すると、第１の記録走査によってインクが付与されてから第２の記録走査によってインクが付与されるまでに経過する時間は領域Ａと領域Ｂで等しい。また、第２の記録走査によってインクが付与されてから第３の記録走査によってインクが付与されるまでに経過する時間も、記録領域Ａと領域Ｂで等しい。更に、第３の記録走査によってインクが付与されてから第４の記録走査によってインクが付与されるまでに経過する時間も、記録領域Ａと領域Ｂで等しい。すなわち、領域Ａと領域Ｂとでは、全く同じタイミングでインクが付与される４回の記録主走査によって、画像が完成される。結果、複数の記録走査によるインクの付与タイミングが異なる２つの領域が交互に配置することによって認識される「時間差むら」は回避される。
【００６９】
以上説明した、３つの実施例の効果を確認するために、本発明者らは以下の条件の下に検証を行った。 
（検証条件）
記録ヘッドの１色当たりのノズル数：７６８ノズル
記録ヘッドの駆動条件：駆動周波数２４ＫＨｚ
吐出量：３ｐｌ／ドット
インク：インクジェット用カラーインクＢＣＩ７（キヤノン販売株式会社）
キャリッジ走査速度  ：２０インチ／秒
キャリッジ反転時間  ：０．２秒
記録解像度：１２００ｄｐｉ
記録媒体種：インクジェット用フォトペーパーＰＲ１０１（キヤノン販売株式会社）
記録媒体幅：３６インチ
記録画像：シアン１００％、マゼンタ１００％、イエロー１００％のベタパッチ（１２００ｄｐｉで配列する全ての画素にシアン、マゼンタおよびイエローのドットを記録する状態）
【００７０】
上記条件に基づき、３つの実施例に従って記録した画像と、３つの実施例と同様のマルチパス数（３パス、４パス、５パス）でありながら、従来のマルチパス記録方法によって双方向で記録した画像とを出力し、画像品位を目視で確認した。いずれのマルチパス数においても、本発明の実施例で記録した画像の方が「色むら」および「時間差むら」が抑制されており、好適な画像が得られることが確認された。また、インクジェット用の他の専用紙や普通紙などにおいても同様の結果を得ることが出来た。
【００７１】
以上説明した３つの実施例では、いずれも、ノズル列をマルチパス数で分割して形成される複数のグループのうちの一部を、所定の走査方向において非使用（非吐出）とすることによって記録を行っている。このような領域を設けつつ、往路走査と復路走査とで使用するマスクパターンを適切に変更することによって、インク付与順序（記録順序）や複数の記録走査での記録タイミングを、隣接する記録領域間ひいては記録領域全域で統一することを可能にしているのである。
【００７２】
（他の実施形態）
以上説明した３つの実施例においては、ノズル列を分割してなる複数のグループのうちの一部を、所定の走査方向において非使用（非吐出）とする構成で説明してきた。しかし、僅かな記録を伴ったとしても、完全に非使用（記録許容率０％）でなく、略非使用になるように、マスクパターンによる記録許容率が低く抑えられていれば、程度の差こそあれ本発明の効果は得ることが出来る。本発明者らの検討によれば、マスクパターンにおける記録許容率が１０％以下、好ましくは５％以下であれば、「色むら」および「時間差むら」が画像弊害にならない程度に抑えられることが確認された。
【００７３】
また、以上の実施例では、複数のグループのうちの端部の１グループを、非使用（非吐出）とし、マルチパス数Ｎに対して記録媒体の同一記録領域にＮ−１回の記録走査を実行する内容で説明した。しかしながら、本発明はこのような回数構成に限定されるものではなく、例えば、同一記録領域に対し、Ｎ−２回やＮ−３回の記録走査で画像が形成される構成であってもよい。但し、記録に関与しない走査回数の増大化は、スループットを低減させるばかりか、本来のマルチパス記録方法の高画質化への効果を減じてしまうという欠点を有する。よって、各記録走査で非使用のグループは、なるべく少なく抑える方が好ましい。
【００７４】
一方、上記実施例のように、複数のグループのうちの端部のグループを非使用とすることは、２つおきの記録領域の境界でつなぎすじを目立ちやすくしてしまう場合がある。この場合、例えば端部のグループに対し上述したような５％以下の記録許容率のマスクを設定すれば、つなぎすじ、「色むら」および「時間差むら」の全てをバランスよく抑制することが可能となる。この際、グループ内の記録許容率が、記録ヘッドの端部に向けて徐々に減少していくような、グラデーション形態のマスクパターンにしても効果的である。
【００７５】
本発明は、シリアル型のインクジェット記録装置であれば、その効果を発揮することが出来る。よって、使用するインクは、染料インクであっても顔料インクであっても構わない。また、使用するインク色の種類も上述した４色に限定されるものではない。例えば、通常のシアンやマゼンタよりも色材濃度を抑えたライトシアンやライトマゼンタ、あるいはレッド、ブルー、グリーンのような特色インクを含む複数種類を併用する場合であっても本発明の効果は得られる。
【００７６】
更に、記録ヘッドの構成についても、図１５に示した形態に限定されるものではない。例えば、図１６に示したような左右対称型の記録ヘッドを用いた場合、往路走査においても復路走査においても記録媒体に対するインクの付与順序（記録順序）は統一され、本発明を採用しなくても「色むら」を回避することは出来る。また、ブラックインクを吐出する記録ヘッドしか搭載しないモノクロプリンタでも、「色むら」は提起されない。しかし、このような場合であっても、「時間差むら」を低減可能であると言う点で本発明は有効に機能する。
【００７７】
更に、異なる吐出量の同色インクを吐出する複数のノズル列を有する記録ヘッドを用いる場合であっても、インク以外の液体をインクと併用して記録する場合であっても、本発明は好適に適用することが出来る。ここで、インク以外の液体としては、インク中の色材を凝集あるいは不溶化させる無色透明な反応液などが挙げられる。この場合、少なくとも、ある１種のインクと反応液についての時間差が基因するムラの発生を抑制することが出来る。
【図面の簡単な説明】
【００７８】
【図１】本発明の実施形態に係るホスト機器として機能するパーソナルコンピュータ（以下、単にＰＣとも言う）の主にハードウェアおよびソフトウェアの構成を示すブロック図である。
【図２】記録装置１０４で記録を行う際の、ＰＣ１００および記録装置１０４における主なデータ処理過程を説明するためのブロック図である。
【図３】本発明の実施形態で適用するインクジェット記録装置１０４の内部構成を説明するための斜視図である。
【図４】２パスのマルチパス記録における記録ヘッドとマスクパターンおよび記録媒体の関係を模式的に説明するための図である。
【図５】互いに補完の関係にある２パス用のマスクパターンの仕組みをより簡潔に説明するための模式図である。
【図６】色むらを説明するために、上述した記録ヘッド２８０１を用いて、３パスのマルチパス記録を双方向で行った際の記録ヘッドの記録状態を示した模式図である。
【図７】図６と同様の記録を行った際の記録媒体における記録状態を示した模式図である。
【図８】「時間差むら」を説明するために、記録ヘッド２８０１を用いて２パスのマルチパス記録を双方向で行った際の記録状態を示した模式図である。
【図９】図８と同様の画像を、４パスのマルチパス記録で行った際の記録状態を示した模式図である。
【図１０】図８と同様の画像を、４パスのマルチパス記録で行った際の記録状態を示した模式図である。
【図１１】実施例１における、３パス双方向のマルチパス記録を行った際の記録ヘッド２８０１の記録状態を示した模式図である。
【図１２】実施例２における、４パス双方向のマルチパス記録を行った際の記録ヘッド２８０１の記録状態を示した模式図である。
【図１３】実施例３における、５パス双方向のマルチパス記録を行った際の記録ヘッド２８０１の記録状態を示した模式図である。
【図１４】（ａ）〜（ｃ）は、２回の記録走査の時間差が画像に及ぼす影響を説明するための模式図である。
【図１５】シリアル型のインクジェット記録装置において一般的に用いられているインクジェット記録ヘッドのノズル配列状態を説明するための模式図である。
【図１６】左右対称型の記録ヘッドの構成を説明するための模式図である。
【符号の説明】
【００７９】
１００      ホストコンピュータ（ＰＣ）
１０１      アプリケーション
１０２      オペレーションシステム
１０３      プリンタドライバ
１０４      記録装置
１０５      モニタドライバ
１０６      モニタ
１０７      ハードディスク
１０８      ＣＰＵ
１０９      ＲＡＭ
１１０      ＲＯＭ
２８０１    記録ヘッド
２８０２    ノズル列
２８０３    吐出口
【図１】
2008155474.tif 000003
【図２】
2008155474.tif 000004
【図３】
2008155474.tif 000005
【図４】
2008155474.tif 000006
【図５】
2008155474.tif 000007
【図６】
2008155474.tif 000008
【図７】
2008155474.tif 000009
【図９】
2008155474.tif 000010
【図１１】
2008155474.tif 000011
【図１２】
2008155474.tif 000012
【図１３】
2008155474.tif 000013
【図１４】
2008155474.tif 000014
【図１５】
2008155474.tif 000015
【図１６】
2008155474.tif 000016
【図８】
2008155474.tif 000017
【図１０】
2008155474.tif 000018